【手続補正書】
【提出日】平成16年7月13日(2004.7.13)
【手続補正１】
【補正対象書類名】明細書
【補正対象項目名】特許請求の範囲
【補正方法】変更
【補正の内容】
【特許請求の範囲】
【請求項１】
表示状態が変化可能な可変表示装置における表示結果を導出表示させ、該可変表示装置の表示結果が予め定められた特定の表示態様となった場合に所定の有価価値を遊技者に付与する等の遊技制御を司る制御装置が実装された制御基板が、開放可能な収納ケースにより収納された状態で本体に設けられたスロットマシンであって、
前記収納ケースの一端側には、該収納ケースを開放不能に固着するとともに前記本体に対して取り外し不能に取り付けるために用いられる第１の封止部と、該収納ケースのメーカーから店舗への輸送時及び店舗からメーカーへの輸送時に該収納ケースを開放不能に固着するために用いられる第２の封止部と、が並設され、更に前記収納ケースの他端側には、前記本体に設けられた取付部材に対して係脱可能な係止部が設けられており、
前記収納ケースは、前記本体への取付け時に前記係止部を前記取付部材に係止させた状態で前記第１の封止部と前記本体に設けられた固定部とを固着手段により固着し、メーカーから店舗への輸送時及び店舗からメーカーへの輸送時に前記第２の封止部を固着手段により固着するように構成されており、
固着手段による前記第１の封止部と前記固定部との固着後における前記収納ケースの開放、及び前記収納ケースの前記本体からの取り外しの際、前記固着された第１の封止部の破壊を伴うようになっているとともに、固着手段による前記第２の封止部の固着後における前記収納ケースの開放の際、該固着された第２の封止部の破壊を伴うようになっていることを特徴とするスロットマシン。
【請求項２】
前記第２の封止部は、メーカーから店舗への輸送時に用いられる出荷用の第２の封止部と、店舗からメーカーへの輸送時に用いられる返品用の第２の封止部と、からなり、
前記出荷用の第２の封止部及び返品用の第２の封止部は、一方が前記収納ケースの一端側の最上部に設けられ、他方が前記収納ケースの一端側の最下部に設けられている請求項１に記載のスロットマシン。
【請求項３】
前記収納ケースは、上部ケースと下部ケースとからなり、
前記第１の封止部と前記第２の封止部は、ともに前記上部ケースから外方に張り出す封止片からなり、
前記第１の封止部を構成する前記封止片の下方には、前記本体に設けられた前記固定部が位置するように構成され、前記第２の封止部を構成する前記封止片の下方には、前記下部ケースから外方に張り出す封止片が位置するように構成されている請求項１または２に記載のスロットマシン。
【手続補正２】
【補正対象書類名】明細書
【補正対象項目名】０００８
【補正方法】変更
【補正の内容】
【０００８】    【課題を解決するための手段】  上記課題を解決するために、本発明のスロットマシンは、表示状態が変化可能な可変表示装置における表示結果を導出表示させ、該可変表示装置の表示結果が予め定められた特定の表示態様となった場合に所定の有価価値を遊技者に付与する等の遊技制御を司る制御装置が実装された制御基板が、開放可能な収納ケースにより収納された状態で本体に設けられたスロットマシンであって、  前記収納ケースの一端側には、該収納ケースを開放不能に固着するとともに前記本体に対して取り外し不能に取り付けるために用いられる第１の封止部と、該収納ケースのメーカーから店舗への輸送時及び店舗からメーカーへの輸送時に該収納ケースを開放不能に固着するために用いられる第２の封止部と、が並設され、更に前記収納ケースの他端側には、前記本体に設けられた取付部材に対して係脱可能な係止部が設けられており、 前記収納ケースは、前記本体への取付け時に前記係止部を前記取付部材に係止させた状態で前記第１の封止部と前記本体に設けられた固定部とを固着手段により固着し、メーカーから店舗への輸送時及び店舗からメーカーへの輸送時に前記第２の封止部を固着手段により固着するように構成されており、  固着手段による前記第１の封止部と前記固定部との固着後における前記収納ケースの開放、及び前記収納ケースの前記本体からの取り外しの際、前記固着された第１の封止部の破壊を伴うようになっているとともに、固着手段による前記第２の封止部の固着後における前記収納ケースの開放の際、該固着された第２の封止部の破壊を伴うようになっていることを特徴としている。  この特徴によれば、制御基板が収納ケースにより覆われた状態で本体に固着されることにより、制御装置等への不正を困難とすることが出来るとともに、固着手段により収納ケースが開放不能に、かつ本体に取り外し不能に取り付けられると、収納ケースを開放したり本体から取り外す際には、収納ケースの一部が破壊されて機械的な変形を伴うことにより痕跡が確実に残ることになるため、不正が行われた可能性があることが外部から直ちに発見出来るようになり、不正行為を効果的に抑制出来ることになる。また、収納ケースの係止部を係止させ、第１の封止部及び固定部を固着手段により固着するのみで、収納ケースを筐体に対して取り外し不能に取り付け出来るため、取付けの作業性が向上する。また、例えば、メーカーから店舗への出荷時や店舗からメーカーへの返品時等において収納ケースを開放不能な状態とすることができるので、スロットマシンの本体と収納ケースとを別送する場合でも、制御基板を収納ケースに収納した状態で安全に輸送できる。
【手続補正３】
【補正対象書類名】明細書
【補正対象項目名】０００９
【補正方法】変更
【補正の内容】
【０００９】  本発明のスロットマシンは、前記第２の封止部は、メーカーから店舗への輸送時に用いられる出荷用の第２の封止部と、店舗からメーカーへの輸送時に用いられる返品用の第２の封止部と、からなり、 前記出荷用の第２の封止部及び返品用の第２の封止部は、一方が前記収納ケースの一端側の最上部に設けられ、他方が前記収納ケースの一端側の最下部に設けられていることが好ましい。
【手続補正４】
【補正対象書類名】明細書
【補正対象項目名】００１０
【補正方法】変更
【補正の内容】
【００１０】  本発明のスロットマシンは、前記収納ケースは、上部ケースと下部ケースとからなり、 前記第１の封止部と前記第２の封止部は、ともに前記上部ケースから外方に張り出す封止片からなり、 前記第１の封止部を構成する前記封止片の下方には、前記本体に設けられた前記固定部が位置するように構成され、前記第２の封止部を構成する前記封止片の下方には、前記下部ケースから外方に張り出す封止片が位置するように構成されていることが好ましい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００７４
【補正方法】変更
【補正の内容】
【００７４】  （ａ）請求項１項の発明によれば、制御基板が収納ケースにより覆われた状態で本体に固着されることにより、制御装置等への不正を困難とすることが出来るとともに、固着手段により収納ケースが開放不能に、かつ本体に取り外し不能に取り付けられると、収納ケースを開放したり本体から取り外す際には、収納ケースの一部が破壊されて機械的な変形を伴うことにより痕跡が確実に残ることになるため、不正が行われた可能性があることが外部から直ちに発見出来るようになり、不正行為を効果的に抑制出来ることになる。また、収納ケースの係止部を係止させ、第１の封止部及び固定部を固着手段により固着するのみで、収納ケースを筐体に対して取り外し不能に取り付け出来るため、取付けの作業性が向上する。また、例えば、メーカーから店舗への出荷時や店舗からメーカーへの返品時等において収納ケースを開放不能な状態とすることができるので、スロットマシンの本体と収納ケースとを別送する場合でも、制御基板を収納ケースに収納した状態で安全に輸送できる。
【手続補正１１】
【補正対象書類名】明細書
【補正対象項目名】００７５
【補正方法】削除
【補正の内容】
【手続補正１２】
【補正対象書類名】明細書
【補正対象項目名】００７６
【補正方法】削除
【補正の内容】
【手続補正１３】
【補正対象書類名】明細書
【補正対象項目名】００７７
【補正方法】削除
【補正の内容】
【手続補正１４】
【補正対象書類名】明細書
【補正対象項目名】００７８
【補正方法】削除
【補正の内容】
【手続補正１５】
【補正対象書類名】明細書
【補正対象項目名】００７９
【補正方法】削除
【補正の内容】
【手続補正１６】
【補正対象書類名】明細書
【補正対象項目名】００８０
【補正方法】削除
【補正の内容】
【手続補正１７】
【補正対象書類名】明細書
【補正対象項目名】００８１
【補正方法】削除
【補正の内容】